(57)【要約】【課題】  表示画面上において針落ちデータなどのポイントデータが重複する場合も、その重複するポイントデータを確実に認識できるようにする。【解決手段】  刺繍データ編集装置１１は、制御装置２０、ディスプレイ１３、キーボード１４、マウス１５を有している。制御装置２０は、ディスプレイ１３の表示画面上の指標が指示する指示領域に針落ちデータが重複して存在するか否かを判断し、針落ちデータの重複存在有りが判断されたときに、当該重複する針落ちデータのデータ情報を表示し、  予め設定された操作に基づいて前記重複する針落ちデータを確認あるいは編集対象として選択する。【選択図】  図１
2006271880.tif 000002
【特許請求の範囲】
【請求項１】
表示手段の表示画面上に複数のポイントデータを含む加工機用の加工データを表示し、操作手段の操作に基づいて当該表示画面上で加工データの確認あるいは編集をする加工機用データ編集装置であって、
前記表示画面上の指標が指示する指示領域にポイントデータが重複して存在するか否かを判断する判断手段と、
この判断手段によりポイントデータの重複存在有りが判断されたときに、当該重複するポイントデータのデータ情報を表示する重複データ表示制御手段と、
予め設定された操作に基づいて前記重複するポイントデータを確認あるいは編集対象として選択するポイントデータ選択手段と
を備えていることを特徴とする加工機用データ編集装置。
【請求項２】
表示手段の表示画面上に複数の針落ちデータを含む縫製データを表示し、操作手段の操作に基づいて当該表示画面上で縫製データの確認あるいは編集をするミシン用縫製データ編集装置であって、
前記表示画面上の指標が指示する指示領域に針落ちデータが重複して存在するか否かを判断する判断手段と、
この判断手段により針落ちデータの重複存在有りが判断されたときに、当該重複する針落ちデータのデータ情報を表示する重複データ表示制御手段と、
予め設定された操作に基づいて前記重複する針落ちデータを確認あるいは編集対象として選択する針落ちデータ選択手段と
を備えていることを特徴とするミシン用縫製データ編集装置。
【請求項３】
確認あるいは編集対象として選択された針落ちデータに、縫製制御に関連するコード情報が付帯されているときには、特定操作により前記コード情報を表示させるコード情報表示制御手段を設けたことを特徴とする請求項２に記載のミシン用縫製データ編集装置。
【請求項４】
縫製データには、針落ちデータがほぼ連続するラインデータが複数含まれ、針落ちデータのデータ情報には当該ラインデータの識別情報と当該ラインデータにおける当該針落ちデータの識別情報とが含まれていることを特徴とする請求項２又は３に記載のミシン用縫製データ編集装置。
【請求項５】
針落ちデータのデータ情報を表示する時、当該針落ちデータのデータ情報の表示形態と、当該針落ちデータが属するラインデータの表示形態とを同じとし、且つ、これらデータ情報及びラインデータの表示形態は、他の針落ちデータ及び他のラインデータの表示形態とは異なるようにしたことを特徴とする請求項４に記載のミシン用縫製データ編集装置。
【請求項６】
表示画面上に複数のポイントデータを含む加工機用の加工データを表示し、当該表示画面上で加工データの確認あるいは編集が可能な加工機用データ編集方法であって、
操作手段により表示画面上を移動可能なポインタを表示させ、このポインタにより指示された所定領域にポイントデータが重複して存在するとき、当該重複するポイントデータのデータ情報を表示し、当該重複するポイントデータを、予め設定された操作により確認あるいは編集対象として選択することを特徴とする加工機用データ編集方法。
【請求項７】
表示画面上に複数の針落ちデータを含む縫製データを表示し、当該表示画面上で縫製データの確認あるいは編集が可能なミシン用縫製データ編集方法であって、
操作手段により表示画面上を移動可能なポインタを表示させ、このポインタにより指示された所定領域に針落ちデータが重複して存在するとき、当該重複する針落ちデータのデータ情報を表示し、当該重複する針落ちデータを、予め設定された操作により確認あるいは編集対象として選択することを特徴とするミシン用縫製データ編集方法。
【請求項８】
確認あるいは編集対象として選択された針落ちデータに縫製制御に関連するコード情報が付帯されているときには、特定操作により前記コード情報を表示させるようにしたことを特徴とする請求項７に記載のミシン用縫製データ編集方法。
【請求項９】
縫製データには、針落ちデータがほぼ連続するラインデータが複数含まれ、針落ちデータのデータ情報には当該ラインデータの識別情報と当該ラインデータにおける当該針落ちデータの識別情報とが含まれていることを特徴とする請求項７又は８に記載のミシンの縫製データ編集方法。
【請求項１０】
針落ちデータのデータ情報を表示する時、当該針落ちデータのデータ情報の表示形態と、当該針落ちデータが属するラインデータの表示形態とを同じとし、且つ、これらデータ情報及びラインデータの表示形態は、他の針落ちデータ及び他のラインデータの表示形態とは異なるようにしたことを特徴とする請求項９に記載のミシンの縫製データ編集方法。
【請求項１１】
表示画面上の指標が指示する指示領域にポイントデータが重複して存在するか否かを判断する手順と、ポイントデータの重複存在有りが判断されたときに、当該重複するポイントデータのデータ情報を表示する手順と、予め設定された操作に基づいて前記重複するポイントデータを確認あるいは編集対象として選択する手順とをコンピュータシステムに実行させるプログラムが記憶されたコンピュータ読み取り可能な記録媒体。
【発明の詳細な説明】
【技術分野】
【０００１】
本発明は、加工機用データや縫製データの確認や編集を表示画面上で行なう場合に好適する加工機用データ編集装置、ミシン用縫製データ編集装置、加工機用データ編集方法、ミシン用縫製データ編集方法及び記録媒体に関する。
【背景技術】
【０００２】
例えばミシンにおいては、ミシン内のコンピュータシステムやミシン外部のコンピュータシステムにおいて、多数の針落ちデータを含む縫製データを表示装置に表示させ、この縫製データの確認や編集を表示画面上で行なうようにしたものがある。なお、本発明とは直接関係はないが、縫製データの編集装置としては特許文献１がある。
【特許文献１】特開２００２−１０２５６１号公報
【発明の開示】
【発明が解決しようとする課題】
【０００３】
この場合、同じポイントに複数の針落ちデータが重複することがある。例えば図１７に示されるような縫製データＤは、図１８に示すラインデータＤ１と、図１９に示すラインデータＤ２とを含んでいる。
【０００４】
今、図１７に示すようにラインデータＤ１の針落ちデータＤ１−６と、ラインデータＤ２の針落ちデータＤ２−６とが重複しているポイントＷをマウスに連動するマウスポインタＰで指示してクリックすると、針落ちデータＤ１−６とＤ２−６とのいずれかが選択される。この場合、表示画面上は、そのどちらも表示されないため、どちらの針落ちデータが選択されたがユーザーにとって分からない。例えばラインデータＤ１の作成後にラインデータＤ２が作成された場合には、後者の針落ちデータＤ２−６が選択されることが多い。しかしながら、ユーザーにはどちらの針落ちデータが選択されているかは分かりにくい（認識できない）ものである。
【０００５】
従って、針落ちデータの確認がしにくい、あるいは、編集が間違ってしまうなどの問題がある。
このような問題は、他の加工機における加工データ（図面データとか、切断用データなど）を表示画面上に表示させて確認あるいは編集する場合にもいえることであった。
【０００６】
本発明は上述の事情に鑑みてなされたものであり、その目的は、表示画面上において針落ちデータなどのポイントデータが重複する場合も、その重複するポイントデータを確実に認識でき、そして間違いなく選択することができ、確認や編集を間違いなくできるようにすることにある。
【課題を解決するための手段】
【０００７】
請求項１の加工機用データ編集装置は、表示手段の表示画面上に複数のポイントデータを含む加工機用の加工データを表示し、操作手段の操作に基づいて当該表示画面上で加工データの確認あるいは編集をする加工機用データ編集装置であって、前記表示画面上の指標が指示する指示領域にポイントデータが重複して存在するか否かを判断する判断手段と、この判断手段によりポイントデータの重複存在有りが判断されたときに、当該重複するポイントデータのデータ情報を表示する重複データ表示制御手段と、予め設定された操作に基づいて前記重複するポイントデータを確認あるいは編集対象として選択するポイントデータ選択手段とを備えていることを特徴とする。
【０００８】
これによれば、ポイントデータが重複して存在していることが判断手段により判断されると、重複データ表示制御手段が当該重複するポイントデータのデータ情報を表示するから、ユーザーがポイントデータが重複していること及びそのデータ情報を確実に認識することができ、そして、ポイントデータ選択手段により重複しているポイントデータを確認あるいは編集対象として選択するから、ポイントデータが重複する場合も、そのうちの一つを間違いなく選択することができ、確認や編集を間違いなくできる。
【０００９】
請求項２のミシン用縫製データ編集装置は、表示手段の表示画面上に複数の針落ちデータを含む縫製データを表示し、操作手段の操作に基づいて当該表示画面上で縫製データの確認あるいは編集をするミシン用縫製データ編集装置であって、前記表示画面上の指標が指示する指示領域に針落ちデータが重複して存在するか否かを判断する判断手段と、この判断手段により針落ちデータの重複存在有りが判断されたときに、当該重複する針落ちデータのデータ情報を表示する重複データ表示制御手段と、予め設定された操作に基づいて前記重複する針落ちデータを確認あるいは編集対象として選択する針落ちデータ選択手段とを備えていることを特徴とする。
【００１０】
これによれば、針落ちデータが重複して存在していることが判断手段により判断されると、重複データ表示制御手段が当該重複する針落ちデータのデータ情報を表示するから、ユーザーが針落ちデータが重複していること及びそのデータ情報を確実に認識することができ、そして、針落ちデータ選択手段により重複している針落ちデータを確認あるいは編集対象として選択するから、針落ちデータが重複する場合も、そのうちの一つを間違いなく選択することができ、縫製データの確認や編集を間違いなくできる。
【００１１】
請求項３のミシン用縫製データ編集装置は、請求項２の発明において、確認あるいは編集対象として選択された針落ちデータに、縫製制御に関連するコード情報が付帯されているときには、特定操作により前記コード情報を表示させるコード情報表示制御手段を設けたことを特徴とするものであり、これによれば、請求項２が奏する効果に加え、針落ちデータに付帯する縫製制御に関連するコード情報を認識することができ、このコード情報の確認や編集を行なうときに便利である。
【００１２】
請求項４のミシン用縫製データ編集装置は、請求項２又は３の発明において、縫製データには、針落ちデータがほぼ連続するラインデータが複数含まれ、針落ちデータのデータ情報には当該ラインデータの識別情報と当該ラインデータにおける当該針落ちデータの識別情報とが含まれていることを特徴とするものである。
【００１３】
これによれば、請求項２又は３が奏する効果に加え、針落ちデータのデータ情報として、当該ラインデータの識別情報と、当該ラインデータにおける当該針落ちデータの識別情報とを表示することになり、針落ちデータが、どのラインデータの、どの部分に相当するのかが認識可能となり、便利である。
【００１４】
請求項５のミシン用縫製データ編集装置は、請求項４の発明において、針落ちデータのデータ情報を表示する時、当該針落ちデータのデータ情報の表示形態と、当該針落ちデータが属するラインデータの表示形態とを同じとし、且つ、これらデータ情報及びラインデータの表示形態は、他の針落ちデータ及び他のラインデータの表示形態とは異なるようにしたことを特徴とするものである。これによれば、表示された針落ちデータのデータ内容の表示形態に応じて、どのラインデータの針落ちデータであるかが容易に分かる。
【００１５】
請求項６の加工機用データ編集方法においては、請求項１の発明と同様の作用効果を得ることができる。
請求項７ないし１０のミシン用縫製データ編集方法においては、請求項２ないし５の発明と同様の作用効果を得ることができる。
【００１６】
請求項１１の記録媒体は、表示画面上の指標が指示する指示領域にポイントデータが重複して存在するか否かを判断する手順と、ポイントデータの重複存在有りが判断されたときに、当該重複するポイントデータのデータ情報を表示する手順と、予め設定された操作に基づいて前記重複するポイントデータを確認あるいは編集対象として選択する手順とをコンピュータシステムに実行させるプログラムが記憶されたコンピュータ読み取り可能な記録媒体である。
【００１７】
この記録媒体を用いてコンピュータシステムを実行させることにより、請求項１の発明と同様の作用効果を得ることが可能となる。
【発明の効果】
【００１８】
本発明は、表示画面上において針落ちデータなどのポイントデータが重複する場合も、その重複するポイントデータを確実に認識でき、そして間違いなく選択することができ、確認や編集を間違いなくできるようになる。
【発明を実施するための最良の形態】
【００１９】
以下、本発明の第１の実施例につき、図１ないし図１２を参照して説明する。図２には、加工機として刺繍縫いが可能な刺繍ミシン１が示されており、この刺繍ミシン１について簡単に説明する。この刺繍ミシン１の本体部は、ベッド部２と脚柱部３とアーム部４を有し、ベッド部２には、図示しない糸輪捕捉器が設けられるとともに、布保持枠５をＸ方向とＹ方向とに移動駆動する枠駆動機構６が設けられている。
【００２０】
アーム部４には、縫製開始を指令するスイッチ７が設けられ、その内部には、図示しないがミシンモータで駆動される主軸が配設され、その主軸の回転により針棒駆動機構を介して針棒及びその下端の縫針８が上下駆動される。さらに、このアーム部４には、縫針８近傍に位置して布を押える押え足９が設けられ、また図示しないが縫針８の後方には図示しないが糸切り用のカッタが設けられている。
【００２１】
脚柱部３には、カラー表示可能な液晶ディスプレイ１０が設けられるとともに、後述する刺繍データ編集装置（これは加工機用データ編集装置、ミシン用縫製データ編集装置に相当する）１１の制御装置２０に接続された接続コード１８のコネクタ１９が接続されている。この刺繍データ編集装置１１から送信される刺繍データを受けると、その刺繍データに基づいて枠駆動機構６に設けられたＸ方向駆動モータとＹ方向駆動モータとが夫々駆動制御され、枠駆動機構６に連結された布保持枠５がＸ方向とＹ方向に夫々独立に移動され、布保持枠５に保持されたハンカチ、ブラウス等の布地に刺繍模様が形成される。
刺繍データ編集装置１１は、パーソナルコンピュータ１２と、表示手段に相当するディスプレイ１３と、操作手段に相当するキーボード１４と、これも操作手段に相当するマウス１５と、イメージスキャナ１６等で構成されている。
【００２２】
図１に示すように、パーソナルコンピュータ１２には、刺繍データ作成に関する制御全体を司る制御装置２０が設けられている。制御装置２０は、判断手段、重複データ表示制御手段、ポイントデータ選択手段、針落ちデータ選択手段に相当するものであり、ＣＰＵ２１とＲＯＭ２２とＲＡＭ２３とこれらを接続するバス２４とを含むマイクロコンピュータと、バス２４に接続されハードディスク（ＨＤ）２５に備えたハードディスクドライブ（ＨＤＤ）２６と、入出力インターフェース２７等を有する。なお、上記ハードディスク２５は、記録媒体たるものである。
【００２３】
また、バス２４には、フレキシブルディスクドライブ（ＦＤＤ）２８と、取外し可能な外部メモリ２９も接続されている。この外部メモリ２９はフラッシュメモリやＳＤメモリカードなどの不揮発性メモリからなる。入出力インターフェース２７には、キーボード１４と、マウス１５と、イメージスキャナ１６と、ディスプレイ１３を駆動する為の表示駆動回路３０と、接続コード１８を介して刺繍ミシン１とが夫々接続されている。
【００２４】
さて、前記制御装置２０は、刺繍データの確認もしくは編集のためのプログラムを前記ハードディスク２５に記録しており、このプログラムを実行することにより、ディスプレイ１３の表示画面上で刺繍データの表示制御や選択制御を行なうことができる。以下、この制御装置２０の制御内容について図３のフローチャートと、表示画面を示す図４〜図１１を参照して説明する。
【００２５】
例えば、図４には、キーボード１４の所定のキー操作（例えば、刺繍データ編集のためのキー操作）をし、編集のための刺繍データを表示画面１３Ａ上に読み出した状態を示している。この表示画面１３Ａにおいて、刺繍データＤは、ラインデータＤ１（図５参照）と別のラインデータＤ２（図６参照）とが含まれている。なお、便宜上、図５及び図６にはラインデータＤ１、Ｄ２を別々に示している。図４の表示画面１３Ａにおける「・」（ドット）は針落ちデータを示している。ラインデータＤ１の針落ちデータは符号Ｄ１−１〜Ｄ１−１１で示し、ラインデータＤ２の針落ちデータは符号Ｄ２−１〜Ｄ２−１１で示している。この場合、針落ちデータＤ１−６とＤ２−６とが重複している。
【００２６】
制御回路２０は、マウス１５のマウスポインタ（指標に相当する）Ｐが指示する指示領域を認識し（図３のステップＳ１）、指示領域に針落ちデータ（いわゆる針落ち点）があるか否かを判断する（ステップＳ２）。針落ちデータがあれば（「ＹＥＳ」）、針落ちデータの数をカウントする（ステップＳ３）。針落ちデータが複数あれば（重複すれば、ステップＳ４で判断）、重複する針落ちデータをディスプレイ１４の表示画面１３Ａに表示パターンＨ１（図７参照）により表示させ、且つ、色別表示する（ステップＳ５）。すなわち、この表示パターンＨ１においては、重複する一方の針落ちデータＤ１−６のデータ情報として「Outline 1：6 Point 」(ラインデータＤ１に含まれる針落ちデータであって、６番目のポイントである意味)を表示すると共に、重複する他方の針落ちデータＤ２−６のデータ情報として「Outline 2：6 Point 」(ラインデータＤ２に含まれる針落ちデータであって、６番目のポイントである意味)を表示する。
【００２７】
このとき、データ情報「Outline 1：6 Point 」の表示色とラインデータＤ１（図５、図７参照）の表示色とを同じ色とし、また、別のデータ情報「Outline 2：6 Point 」の表示色（「Outline 1：6 Point 」とは別色）とラインデータＤ２（図６、図７参照）の表示色とを同じ色とする。つまり、針落ちデータのデータ情報を表示する時、当該針落ちデータのデータ情報の表示形態（この場合表示色）と、当該針落ちデータが属するラインデータの表示形態を同じとし、且つ、これらデータ情報及びラインデータの表示形態は、他の針落ちデータ及び他のラインデータの表示形態とは異なるようにしている。これにより、表示された針落ちデータのデータ内容の表示形態に応じて、どのラインデータの針落ちデータであるかが容易に分かる。なお、表示形態を同一とするについては、同一表示色でも良いし、同一点滅形態などでも良い。
なお、図７の符号Ｓで示す表示部は当該ラインデータの最初の針落ちデータであることを示し、符号Ｅで示す表示部は当該ラインデータの最後の針落ちデータであることを示す。
【００２８】
この後、予め設定された操作がなされると、前記重複する複数の針落ちデータを択一選択する（ステップＳ６）。この場合、予め設定された操作とは、例えばマウス１５の左ボタンがクリック（いわゆる左クリック）されて表示パターンＨ１が確定され、マウス１５が下方あるいは上方に移動操作されることをいう。その移動操作に応じて、最初に図８のように、「Outline 1：6 Point 」部分に「囲み線」Ｋ１が表示（区別化表示）されて、針落ちデータＤ１−６が選択される。さらにマウス１５が移動されると、図９のように、「Outline 2：6 Point 」部分に「囲み線」Ｋ２が表示（区別化表示）されて、針落ちデータＤ２−６が選択されることになる。なお選択箇所を示すための区別化表示は、「囲み線」表示に代えて「白抜き」表示による区別化表示や、色による区別化表示でも良い。
【００２９】
この後、ユーザーが任意の針落ちデータを選択した状態で、ユーザーによりコード情報表示のための特定操作、例えば、左クリック操作されると（ステップＳ７で判断）、選択された針落ちデータにコード情報があるか否かを判断し（ステップＳ８）、コード情報があればコード情報を表示する（ステップＳ９）。コード情報の表示例を図１０及び図１１に示している。図１０では、針落ちデータＤ１−６が選択された状態（図８の状態）で特定操作がなされた場合の表示パターンＨ２を示している。つまり、針落ちデータＤ１−６のコード情報が表示される。この表示パターンＨ２において、「Option1」、「Option2」は、図１２の「Optional Putout」のオプション出力１、オプション出力２を意味している。オプション出力は、ミシンの電気出力を制御するもの、番号は電気出力の種類を示している。
【００３０】
図１１には、針落ちデータＤ２−６が選択された状態（図９の状態）で前述の特定操作がされた場合の表示パターンＨ３が表示されており、つまり、針落ちデータＤ２−６のコード情報が表示される。この場合、「Trim」は図１２から分かるように「糸切り」であり、また「Deceleration  level４」は、減速レベル４を示している。
【００３１】
なお、コード情報としては、上述のオプション出力や減速の他に、図１２で示すものがある。
ステップＳ９のコード情報表示状態で、編集開始のための特定操作があると（ステップＳ１０で判断）、編集制御（ステップＳ１１）に移行する。なお、この編集開始のための特定操作としては、例えばマウス１５のダブルクリックや、キーのうちエンターキーの操作などがある。そして、当該選択された針落ちデータに対してユーザーにより編集（移動や削除など）行なわれた後、ステップＳ１２で終了操作がなされたことが判断されると、この制御を終了する。
【００３２】
このような本実施例によれば、針落ちデータが重複して存在していることが判断されると、当該重複する針落ちデータのデータ情報を表示するようにしたから、ユーザーが針落ちデータが重複していること及びそのデータ情報を確実に認識することができ、そして、予め設定された操作に基づいて、重複している針落ちデータを確認あるいは編集対象として選択するから、針落ちデータが重複する場合も、そのうちの一つを間違いなく選択することができ、縫製データの確認や編集を間違いなくできる。
【００３３】
また、本実施例によれば、確認あるいは編集対象として選択された針落ちデータに、縫製制御に関連するコード情報が付帯されているときには、特定操作により前記コード情報を表示させるようにしたから、針落ちデータに付帯する縫製制御に関連するコード情報を認識することができ、このコード情報の確認や編集を行なうときに便利である。
【００３４】
さらに、縫製データＤには、針落ちデータＤ１−１〜Ｄ１−１１がほぼ連続するラインデータＤ１や針落ちデータＤ２−１〜Ｄ２−１１がほぼ連続するラインデータＤ２といった複数のラインデータが含まれ、各針落ちデータのデータ情報には当該ラインデータの識別情報（図７では、針落ちデータＤ１−１〜Ｄ２−１１に対応するラインデータＤ１の識別情報は「Outline１」、針落ちデータＤ２−１〜Ｄ２−１１に対応するラインデータＤ２の識別情報は「Outline２」）と当該ラインデータにおける当該針落ちデータの識別情報（「６ point」、「６ point」）とが含まれ、これら当該ラインデータの識別情報と、当該ラインデータにおける当該針落ちデータの識別情報とを表示するから、針落ちデータが、どのラインデータの、どの部分に相当するのかが認識可能となり、便利である。
【００３５】
なお、本発明は上記実施例に限られず、次のように変更して実施しても良い。
１）縫製データＤを表示するについては、ドット（各針落ちデータＤ１−１〜Ｄ１−１１、Ｄ２−１〜Ｄ２−１１）表示するようにしたが、代わりに、ラインのみを表示するようにしても良い。この場合、マウスポインタでラインの任意部分を指示し、その指示する領域に各針落ちデータの座標が有るか否かを判断し、有ることが判断されると図７のように表示しても良い。
【００３６】
２）ステップＳ１、ステップＳ２で示したように、マウス１５の移動時に、常に自動的に、マウス１５のマウスポインタＰが指示する指示領域に針落ちデータが有るか否かを判断するようにしたが、マウス１５がクリック操作されたことを条件に、針落ちデータが有るか否かを判断するようにしても良い。
【００３７】
３）図７からの表示階層を図８あるいは図９の１段としたが、さらにデータ情報やコード情報に応じて表示階層を深くしても良い。
４）操作手段としては、マウス１５ではなく、キーボード１４の矢印キーや、図示しないタッチパッドや、またはいわゆる入力ペンなどでも良い。また、予め設定された操作、特定操作は、上記実施例に限られないことはもちろんである。
５）指標としてはマウスポインタでなく、移動するＸＹ座標線での交点などでも良い。
６）また、記録媒体としては外部メモリ２９や、ＣＤドライブで読み取られるＣＤでも良い。
【００３８】
７）本発明は、例えば本発明の第２の実施例として示す図１３及び図１６に示すように、加工機として図形作成機に適用して実施しても良い。この場合、加工データたる図形データＤは、放物線を示すラインデータLine１、これも放物線を示すラインデータLine２が含まれている。ラインデータLine１はポイントデータＬ１−１、Ｌ１−２、Ｌ１−３で形成され、ラインデータLine２はポイントデータＬ２−１、Ｌ２−２、Ｌ２−３で形成されている。この場合、放物線の頂点に相当するポイントデータＬ１−２とＬ２−２とが重複しているものとする。
【００３９】
マウスポインタＰの指示領域にこの重複するポイントデータが存在すると、図１４に示すように、ポイントデータＬ１−２、Ｌ２−２のデータ情報に相当するラインデータLine１、ラインデータLine2を表示する。この表示状態で、マウス１５が下方あるいは上方に移動操作されると、その移動操作に応じて、最初に図１５のように、「line１」部分に「囲み線」が表示（区別化表示）されて、ポイントデータＬ１−２が選択されさらにマウス１５が移動されると、図１６に示すように「line2」部分に「囲み線」が表示（区別化表示）されて、ポイントデータＬ２−２が選択されることになる。
なお、この選択状態で、マウス１５のダブルクリックや、キーのうちエンターキーの操作により、当該選択されたポイントデータについて編集（移動など）をする。
８）縫製データとしては刺繍データに限られず、穴かがり縫いデータなど、他の縫製データでも良い。
【図面の簡単な説明】
【００４０】
【図１】本発明の第１の実施例を示す刺繍データ編集装置の電気的構成のブロック図
【図２】刺繍データ編集装置の外観図
【図３】制御装置の制御内容を示すフローチャート
【図４】操作手順に応じた表示例を示す図
【図５】操作手順に応じた表示例を示す図
【図６】操作手順に応じた表示例を示す図
【図７】操作手順に応じた表示例を示す図
【図８】操作手順に応じた表示例を示す図
【図９】操作手順に応じた表示例を示す図
【図１０】操作手順に応じた表示例を示す図
【図１１】操作手順に応じた表示例を示す図
【図１２】コード情報の内容を示す図
【図１３】本発明の第２の実施例を示す操作手順に応じた表示例を示す図
【図１４】操作手順に応じた表示例を示す図
【図１５】操作手順に応じた表示例を示す図
【図１６】操作手順に応じた表示例を示す図
【図１７】従来例を説明するための表示例を示す図
【図１８】ラインデータ内容を示す図
【図１９】異なるラインデータ内容を示す図
【符号の説明】
【００４１】
図面中、１１は刺繍データ編集装置（加工機用データ編集装置、ミシン用縫製データ編集装置、１２はパーソナルコンピュータ、１３はディスプレイ（表示手段）、１４はキーボード（操作手段）、１５はマウス（操作手段）、２０は制御装置（判断手段、重複データ表示制御手段、ポイントデータ選択手段、針落ちデータ選択手段）、２５はハードディスク（記憶媒体）を示す。
【図１】
2006271880.tif 000003
【図２】
2006271880.tif 000004
【図３】
2006271880.tif 000005
【図４】
2006271880.tif 000006
【図５】
2006271880.tif 000007
【図６】
2006271880.tif 000008
【図７】
2006271880.tif 000009
【図８】
2006271880.tif 000010
【図９】
2006271880.tif 000011
【図１０】
2006271880.tif 000012
【図１１】
2006271880.tif 000013
【図１２】
2006271880.tif 000014
【図１３】
2006271880.tif 000015
【図１４】
2006271880.tif 000016
【図１５】
2006271880.tif 000017
【図１６】
2006271880.tif 000018
【図１７】
2006271880.tif 000019
【図１８】
2006271880.tif 000020
【図１９】
2006271880.tif 000021